(57)【要約】【課題】両面印刷可能な孔版印刷装置において、用紙の搬送経路を切り換える切り換え部でのジャムなどを低減することができる孔版印刷装置を提供すること。【解決手段】両面印刷の場合に、マスタの前後二面に分けて製版し、印刷用紙の搬送経路を切り換える揺動自在な切り換え手段２３により、第一面で印刷された印刷用紙を下部の搬送手段２４に保持し、その後に第二面位置に合わせて印刷用紙を送り出し、押圧手段１５で印刷用紙を反転させながら両面に印刷することとし、切り換え手段２３の揺動角度を制御可能に構成した。【選択図】図１
2008142928.tif 000002
【特許請求の範囲】
【請求項１】
多孔性円筒状の版胴に、穿孔製版されたマスタを巻着し、前記版胴に印刷用紙押圧手段で押圧して前記版胴の穿孔部を通じてインキを滲み出させ、版胴に近接して設けられた排紙爪及び、版胴と押圧手段とのニップ部に向けて送風する送風手段により版胴表面より剥離しながら印刷を行う孔版印刷装置において、
前記孔版印刷装置は片面印刷モードと、マスタの前後二面に分けて製版し、前記印刷用紙の搬送経路を切り換える揺動自在な切り換え手段により、第一面で印刷された印刷用紙を下部の搬送手段に保持し、その後に第二面位置に合わせて印刷用紙を送り出し、押圧手段で印刷用紙を反転させながら両面に印刷する両面印刷モードを有しており、前記切り換え手段の揺動角度を制御可能に構成したことを特徴とする孔版印刷装置。
【請求項２】
請求項１記載の孔版印刷装置において、前記切り換え手段は印刷用紙の進入位置に連動して揺動角度を制御するように構成したことを特徴とする請求項１に記載の孔版印刷装置。
【発明の詳細な説明】
【技術分野】
【０００１】
本発明は、熱可塑性樹脂フィルムからなる孔版マスタを穿孔製版して、多孔性円筒
状版胴に巻着し連続的に両面印刷等を行える孔版印刷装置に関する。
【背景技術】
【０００２】
多孔性の支持円筒体に、樹脂あるいは金属網体のメッシュスクリーンを複層巻装した構成の回転自在な版胴に、熱可塑性樹脂フィルムと多孔質支持体の和紙繊維とか合成繊維、あるいは和紙と合成繊維を混抄したものを貼り合わせたラミネート構造の孔版マスタを用いて、サーマルヘッドの発熱素子に接触させて穿孔製版したマスタを版胴に巻着して、版胴内部に設けられたインキ供給部材よりインキを供給して、プレスローラ等で用紙を連続的に押圧した状態のもとで版胴開孔部及びマスタ穿孔部よりインキを滲み出させて印刷を行う感熱デジタル孔版印刷装置がよく知られている。
【０００３】
孔版印刷装置等で使用される用紙は常に印刷可能な最大の用紙を用いて印刷されるわけではなく、印刷可能な最大用紙よりも小さい用紙が一般に多く用いられる。一方、版胴に巻着されるマスタは版胴開孔部を覆うように長いものが用いられるために、小さい用紙を用いて印刷を行う場合には、実際の印刷に使用しない余白部分が多くなってしまい、マスタに付着して廃棄されるインキなどと共に、マスタが無駄に消費されてしまうという問題があった。例えばＡ３サイズ用の版胴でＡ４サイズの用紙を印刷する場合には、マスタの約１／２程度が無駄に消費されてしまうことになる。
【０００４】
近年ではマスタや印刷用紙の消費量を低減するために、印刷用紙の表裏両面に印刷を行う両面印刷が印刷の大部分を占めるようになってきた。両面印刷においては、給紙部に積載された用紙を通紙し、片面を印刷した後に排紙トレイに排出積載された印刷済み用紙を再度裏返して通紙し、もう片面を印刷する方法で両面印刷物を得る方法が取られているが、印刷を二度行うことになり印刷時間が長くなると共に、用紙をきれいに揃え直す作業とか印刷物を再度給紙部にセットしたりする作業が非常に面倒であった。
【０００５】
そこで二つの版胴を対向させて印刷を行う等の方法で、ワンパスで両面に印刷できる装置の提案が望まれているが、装置が大型化することや、片面印刷時には片側の版胴からのインキ転位を防ぐために、無製版マスタを巻着しておく等の制約が有り、マスタが無駄に消費されると共に操作が面倒であった。
また、両面印刷の別の技術として、版胴製版面を２分割し、押圧手段を連続的に版胴に押圧させながら前後の製版面に対して用紙を反転させて両面の印刷を行う方法が試されている。
【０００６】
例えば、印刷ドラムには表面画像としての第１の画像と裏面画像としての第２の画像が回転方向に並べて製版されたマスタが巻装されていて、プレスローラの押圧により印刷用紙に第１の画像を印刷し、表面印刷された印刷用紙を切り換えガイド板により再給送手段側へ案内し、移動ガイドにより先端部を挟持して搬送した後開放し、開放された印刷用紙を搬送手段によりプレスローラとコロのニップ部に搬送し、反転してから再給紙し、第２の画像を裏面に印刷する技術がある（例えば、特許文献１参照）。
【０００７】
しかし、かかる両面印刷の技術では、高速で用紙の経路を切り換える必要があり、特に腰の弱い薄手の用紙では高速になると用紙が版胴から貼り付き剥がれ難くなるので、切り換え部に引っかかったりすることでジャムが発生し易くなる傾向がある。
【０００８】
【特許文献１】特開２００５−２３８７７４号公報（要約参照）
【発明の開示】
【発明が解決しようとする課題】
【０００９】
本発明は、上記事情に鑑み、両面印刷可能な孔版印刷装置において、用紙の搬送経路を切り換える切り換え部でのジャムなどを低減することができる孔版印刷装置を提供することを課題とする。
【課題を解決するための手段】
【００１０】
本発明は、前記課題を達成するため以下の構成とした。
請求項１にかかる発明は、多孔性円筒状の版胴に、穿孔製版されたマスタを巻着し、前記版胴に印刷用紙押圧手段で押圧して前記版胴の穿孔部を通じてインキを滲み出させ、版胴に近接して設けられた排紙爪及び、版胴と押圧手段とのニップ部に向けて送風する送風手段により版胴表面より剥離しながら印刷を行う孔版印刷装置において、前記孔版印刷装置は片面印刷モードと、マスタの前後二面に分けて製版し、前記印刷用紙の搬送経路を切り換える揺動自在な切り換え手段により、第一面で印刷された印刷用紙を下部の搬送手段に保持し、その後に第二面位置に合わせて印刷用紙を送り出し、押圧手段で印刷用紙を反転させながら両面に印刷する両面印刷モードを有しており、前記切り換え手段の揺動角度を制御可能に構成した。
請求項２に係る発明では、請求項１記載の孔版印刷装置において、前記切り換え手段は印刷用紙の進入位置に連動して揺動角度を制御するように構成した。
【発明の効果】
【００１１】
本発明によれば、両面印刷可能な孔版印刷装置において、用紙の搬送経路を切り換える切り換え部でのジャムなどを低減することができる。
【発明を実施するための最良の形態】
【００１２】
[１]孔版印刷装置の構成
マスタ８はロール８ａに巻成され、図示しないホルダ手段によりそのロール芯８ｂが回転可能に支持されている。ロール８ａから引き出されたマスタ８はプラテンローラ９に導かれ、該プラテンローラ９上でサーマルヘッド１０により押圧されている。サーマルヘッド１０は無数の発熱素子を有し、プラテンローラ９は図示しない製版部側板に回転自在に支持されると共に図示しないステッピングモータに連結されている。該ステッピングモータによりプラテンーラ９が時計回りに回転駆動されることにより、マスタ８がロール８ａより繰り出されるようになっている。
【００１３】
サーマルヘッド１０は図示しないバネ部材等の付勢手段によりプラテンローラ９に押し付けられる向きに付勢されている。プラテンローラ９のマスタ搬送方向下流側（図中右側）には、図示しない製版部側板対に押圧した状態で回転自在に支持された搬送ローラ１２対が設けられている。搬送ローラ１２対はプラテンローラ９の周速より僅かに早い速度で回転するように設定され、マスタ８との間で滑りながら適度な張力を付加するようになっている。
【００１４】
搬送ローラ１２のマスタ搬送方向下流側（図中右側）には、製版されたマスタ８を適当な長さに切断する上下刃(ギロチンタイプ)または回転刃移動タイプ等のカッタ１１と、図示しない製版側板間に固設されマスタ８の先端を案内する、マスタガイド板１３が設けられている。これらが製版装置６０を構成する。
【００１５】
図２を参照するに、当該孔版印刷装置には、原稿読取装置にスキャナ装置５０を備えている。原稿読取装置において原稿台５０ａと排紙台５０ｂとの間にスキャナ装置５０が設けられていて、原稿台５０ａから排紙台５０ｂへ原稿が搬送される過程でＣＣＤ等で原稿が読み取られて電気信号に変換されて制御装置５１へ送信される。制御装置５１から製版装置６０に電気信号が送信されることにより、サーマルヘッド１０の発熱素子に通電され、マスタ８が加熱穿孔されて製版が行われる。通常の片面印刷か両面印刷かの選択は操作パネルを介してオペレータにより指示が入力されることによって実行される。
【００１６】
図１に戻って、製版部６０の右下側には、多孔性支持円筒体とその外周を覆う図示しない樹脂あるいは金属網体のメッシュスクリーンとが複数層巻装されて構成された版胴１が、インキパイプ５を支軸に回転自在に支持された図示しないフランジに固着され、図示しない駆動伝達手段(ギヤ等)により駆動力を伝達されて時計回りに回転駆動されるように構成されている。
【００１７】
版胴１の内部にはインキパイプ５に固設された図示しない側板により、インキローラ軸を回転自在に支持されたインキローラ２が、図示しない駆動伝達手段（ギヤ、ベルト等）により版胴１と同期して同方向に回転駆動されるようになっている。インキローラ２の外周面と僅かに隙間を設けてドクタローラ３が設けられている。
【００１８】
インキローラ２とドクタローラ３と当接部及び対向面により楔状空間が形成されている。一方、版胴１の外部にはインキパックが設けられていて、このインキパックから図示しないインキ供給装置によりインキが吸引されて、インキパイプ５の供給穴５ａより楔状空間にインキが供給されて、インキ溜まり４が形成される。このインキ溜り４のインキはインキローラ２の回転とともにその外表面に薄膜状に供給される。
【００１９】
版胴１の非開孔部表面には、版胴１の一つの母線に沿って、磁性体で形成されたステージ６が設けられている。ステージ６と平行にクランパ軸が回動可能に支持され、クランパ７が一体に固設されて図示しない開閉装置によりクランパ７が所定位置で開閉されるようになっている。版胴１は自身の軸線方向に前記インキパック等と一体で係脱可能になっていると共に、図示しない画像移動装置により軸線方向に移動自在に設けられている。
【００２０】
版胴１の下側には図示しない筐体側板に回転自在に支持されたアーム軸１６ａと、アーム軸１６ａに固定されたプレスローラアーム１６対に、軸部を回転自在に支持された押圧手段としてのプレスローラ１５が設けられている。アーム軸１６ａの一端側には図示しないアームが固定され、回転自在なカムフォロアが設けられており、このカムフォロアは図示しない筐体側板に回転自在に支持されている複数のカムに、スプリング等の付勢手段の付勢力により当接するようになっている。
【００２１】
上記複数のカムは図示しない駆動手段により版胴１と同期して回転し、押圧手段であるプレスローラ１５を所定の位置で版胴１に当接させたり、離間させたりすることができるようになっている。一般的には複数のカムを切り換えて第一面、第二面、全体、のように押圧範囲を切り換えるような方式が採用されている。プレスローラ１５は版胴１と略同じ周速度で版胴１と反対方向に回転駆動される。ここでは、前半部が第一面の押圧範囲となる。
【００２２】
プレスローラ１５の下側にはプレスローラ１５に近接した状態で複数のローラコロ１７が回転自在に軸支されており、図示しない駆動手段（ソレノイド、レバー等）によりプレスローラ１５と当接してプレスローラ１５より回転力を受けてプレスローラ１５と反対方向に回転するようになっている。
【００２３】
プレスローラ１５の右側にはプレスローラ１５の表面に近接して湾曲したローラガイド板１８が設けられている。プレスローラ１５の外表面にはオフセット印刷機などで印刷物の汚れ防止等に用いられている微細なガラスビーズ等が均一に形成されており、版胴１５の表面と接触した場合や、後述する印刷された印刷用紙４５の画像面のインキ付着などによる汚れを最小にするようになっている。ローラガイド板１８の表面は搬送時の抵抗を減少するために摩擦係数の低いフッ素樹脂（ポリテトラフルオロエチレン）などがコーティングされている。
【００２４】
プレスローラ１５の右側には図示しない給紙トレイに図示しない複数の検知センサが設けられていて、積載される印刷用紙４５のサイズ(長さと幅)に応じた信号を発するようになっている。給紙トレイ以外には積載された印刷用紙４５を一枚ずつ分離給送する分離給紙装置と、分離給送された印刷用紙４５を印刷に適するタイミングで版胴１とプレスローラ１５との間に搬送するレジストローラ１４が対をなして設けられている。
【００２５】
版胴１の左斜め下側には版胴１に近接して揺動自在に支持された剥離爪２６と、版胴１表面及びプレスローラ１５とのニップ部に送風して用紙を剥離する送風手段としての剥離ファン２７が設けられている。剥離爪２６の下側には図示しない筐体側板対に回転自在に支持され、図示しない駆動装置により反時計回りに回転駆動される排紙ローラ前１９、排紙ローラ後２０と、これら排紙ローラ前１９及び排紙ローラ後２０との聞に張設された排紙ベルト２１、印刷用紙４５を排紙ベルト２１上面に吸引する吸引ファン２２からなる排紙搬送装置６１が設けられている。
【００２６】
排紙搬送装置６１とプレスローラ１５との間には切り換えガイド板２３が設けられている。切り換えガイド板２３は、図示しない筐体側板に回転可能に軸支された軸に一体に固定されており、図３に示したようにステップモータ７０より駆動力を伝達されて、所定のタイミングで、時計回り、反時計回りに揺動するようになっている。通常は図１に示す初期位置に保持されている。このように、切り換えガイド板２３は印刷用紙の進入位置に連動して揺動角度を制御可能である。
【００２７】
排紙搬送装置６１下方には下部搬送装置６２が設けられている。下部搬送装置６２には搬送口―ラ前４０、搬送ローラ後４１が回転自在に保持されていて、これら搬送ローラ前４０と搬送ローラ後４１間には搬送ベルト４２が張設されており、図示しない駆動モータ等で時計回り回転駆動されるようになっている。搬送ベルト４２は所定のタイミングで断続的に駆動される。
【００２８】
搬送ベルト４２の間には吸引ファン下４３が設けられている。吸引ファン下４３は後述する印刷用紙４５Ａを搬送ベルト４２に吸着保持する。下部搬送装置６２の上部には図示しない移動手段によりプレスローラ１５から離れた位置からプレスローラ１５に近接する位置までの間を往復動する移動ガイド２４が設けられている。
【００２９】
下部搬送装置６２は搬送ローラ後４１の軸を支点に、プレスローラ１５の上下動変位時に揺動するように構成されている。排紙搬送装置６１の左側には排紙された印刷用紙４５を積載する排紙トレイ２３が設けられている。
【００３０】
[２]孔版印刷装置の両面印刷動作
通常の片面印刷については、周知であるので、以下では、両面印刷を行う場合の動作を説明する。図２に示した操作パネル５２により両面印刷モードが選択されて、図示しない給紙トレイセンサにより適合している印刷用紙４５が積載されていると判断されている場合に、スキャナ装置５０に図示しない原稿がセットされた後に操作パネル５２上のスタートボタンが押される等することによりスタート信号が出されることにより、図１において図示しない駆動モータにより版胴１が回転し図示しない排版装置により使用済みのマスタが版胴１表面より剥離され廃棄される。
【００３１】
版胴１はクランパ７が略真上位置（時計の文字盤で例えるなら１２時の位置）になるまで回転して停止する。版胴１が停止すると、図示しない開閉装置によりクランパ軸が回転されることでクランパ７が開放され給版待機状態となる。
【００３２】
原稿読取部において、原稿が原稿台５０ａから送出されて、まず図４に示す原稿８０の第一面８０Ａの画像がスキャナ装置５０のＣＣＤ等で電気信号に変換されてＡ／Ｄ変換器、製版制御装置等を経由し画像情報に応じてサーマルヘッド１０の発熱素子にパルス状に通電し、主走査方向に作動させると共に、製版装置６０において、図示しないステッピングモータが回転してプラテンローラ９によりマスタ８が副走査方向に搬送され、マスタ８の感熱フィルムの前半分の製版が開始される。
【００３３】
マスタガイド板１３によりマスタ８の先端がステージ６とクランパ７との問に案内され、図示しないステッピングモータのステップ数よりマスタ８の先端がクランパ７に届いたと判断されると、図示しない開閉装置によりクランパ７が閉じられ、マスタ８の先端を吸着挟持すると共に、版胴１がマスタ搬送速度とほぼ同じ速度で回転を再開し、製版されたマスタ８の巻着が行われる。
【００３４】
制御装置５１は、原稿読取装置において図示しないステッピングモータのステップ数より、図４に示した第一面８Ａの製版が完了したと判断すると、自動的にあるいは再セットされた原稿８０がスキャナ装置５０に送出され、残り片面の画像がＣＣＤ等で電気信号に変換され、Ａ／Ｄ変換器、製版制御装置等を経由し、第一面８Ａ同様にマスタ８の所定位置に第二面８Ｂの製版が開始される。こうして、マスタ８の前後二面に分けて製版が行われる。
【００３５】
制御装置５１において、図示しないステッピングモータのステップ数より第二面８Ｂの製版が完了したと判断されると、カッタ１１が作動しマスタ８が切断されると共に、プラテンローラ９、搬送ローラ１２が停止し、切断されたマスタ８の後端部が版胴１の回転により引き出されて版胴１への巻着が完了する。版胴１ヘマスタ８の巻着が完了すると印刷用紙４５が一枚だけ図示しない分離給紙装置により送り出され、レジストローラ１４で印刷に適するタイミングを取られて版胴１とプレスローラ１５との間に向けて搬送される。
【００３６】
図示しない用紙検出手段により印刷用紙４５の進入が検知されることで図示しない係止手段が解除され、図示しないカムの回転に沿ってカムフォロアがカムの凹部に移動することで、プレスローラ１５は図示しない付勢スプリングにより版胴１に印刷用紙４５を連続的に押圧して、原稿８０の第一面８０Ａに対応したマスタ８の第一面８Ａにインキを充填する版付けが開始される。
【００３７】
この動作と平行して版胴１のクランパ７が通り過ぎた頃から、剥離ファン２７が回転を開始して図５に示したように印刷用紙４５の先端部が版胴１とプレスローラ１５のニップ部から搬送されてくる頃には、ステップモータ７０が回転して切り換えガイド板２３の先端部が緩い斜め上向きとなる中間位置まで移動し、剥離ファン２７からの送風量をより多くニップ部に導くことで印刷用紙４５をニップ部から下方に強く付勢すると共に、印刷用紙４５の進行に沿って図６、図７に示すようにさらに斜め上向きとなる位置まで反時計回りに回動して印刷用紙４５先端を通過させ（このとき送風されるエアーは慣性により入り込もうとしているので、隙間が一時的に小さくなっても流速が上昇することでカバーされる）、印刷用紙４５の先端が通り過ぎた頃に再度、図８の位置（図５に示すように切り換えガイド板２３の先端部が緩い斜め上向きとなる中間位置）まで時計回りに回動して、剥離ファン２７による送風量を増加させて版胴１からの剥離を効果的に行える位置まで移動して静止する。
【００３８】
この動作と平行して移動ガイド２４も図１に示した待機位置から印刷用紙４５の先端を挟時すべく斜め上方に移動して停止する。移動ガイド２４が停止する頃に印刷用紙４５は切り換えガイド２３と剥離ファン２７により連続的に版胴１より剥離されて、可動ガイド２４の下面空間部を案内され進入する。
【００３９】
印刷用紙４５先端移動ガイド２４に挿入された図８に示した頃に可動ガイド２４が用紙の搬送速度とほぼ同じ速度で初期位置（図１に示した待機位置）に向け移動を開始して、印刷用紙４５の先端を支持した状態で下方に搬送する。
【００４０】
プレスローラ１５は図示しないカム切り換え機構により、マスタ８の第一面８Ａの範囲で押圧した後に離間して図１に示した初期位置に復帰して停止する。印刷用紙４５は可動ガイド２４により案内され、可動ガイド２４が初期位置で停止する頃に印刷用紙４５の先端側は下部搬送装置６２の吸引ファン下４３により排紙ベルト下４２に吸引固定され、印刷用紙４５の後端側はプレスローラ１５とローラコロ１７との間に挿入可能な位置になる。次いで、搬送ベルト４２が時計回りに回転し、印刷用紙４５の後端側端面がプレスローラ１５とローラコロ１７の間に挿入された所定位置まで搬送して停止する。
【００４１】
版胴１の次の回転でマスタ８の第二面８Ｂの位置に対応する位置になったと制御装置５１で判断されると、図示しない駆動手段によりローラコロ１７が上昇して、印刷用紙４５を介して当接することで印刷用紙４５の後端側端面が版胴１の速度と略同じ速度で、第一面８Ａが印刷された用紙４５を搬送し始める。この時、プレスローラ１５も図示しないカム装置により第二面８Ｂにのみ対応した位置で印刷用紙４５及びマスタ８を介して版胴１を押圧するように制御される。
【００４２】
印刷用紙４５はプレスローラ１５とローラコロ１７のニップで挟時されながら湾曲したローラガイド板１８により案内されて、印刷された第一面の裏側である第二面を上にして版胴１とプレスローラ１５とのニップ部に向けて搬送される。このときまでの間に切り換えガイド２３はすでに下方に案内される印刷用紙４５の後端が通過後、図１の初期位置になっている。
【００４３】
図９に示したように、印刷用紙４５はプレスローラ１５により版胴１に押圧されて第二面８Ｂにインキを充填する版付けが行われる共に、印刷用紙４５は版胴１に近接離間する排紙爪２６と剥離ファン２７により版胴１より剥離されて、切り換えガイド２３の上面に沿って排紙ベルト２１に吸着搬送されて搬送され排紙トレイ７１に排出される。次に設定された枚数の両面の印刷が同様の動作で行われる。
【００４４】
両面印刷の場合はプレスローラ１５は第一面８Ａおよび第二面８Ｂを連続して押圧しながら印刷が行われる。
使用される用紙の厚みはオペレータなどにより図示しない操作パネル５２から入力されて、剥離ファン２７の送風により効果的に版胴１からの剥離が行われ薄手の用紙の場合は、前述した図４〜８のような動作を行うように制御され、送風による印刷用紙４５の下方への付勢剥離が効果的に行われる。
【００４５】
厚手の印刷用紙４５Ｓで印刷する場合は、剥離ファン２７の送風による付勢剥離が十分ではないおそれがあるので切り換えガイド２３が図１０に示すように印刷用紙４５Ｓをより積極的に移動ガイド２４に向かわせるように、該印刷用紙４５の先端部が切り換えガイド２３によって下方に案内されるように制御する。切り換えガイド２３には図示していないが、剥離されて切り換えガイド２３下方に進入した印刷用紙４５と切り換えガイド２３が接触しないように付勢するため剥離ファン２７からの送風を導入する開口した窓部が設けられている。
【００４６】
以上、説明したとおり、本例では、インキローラ２、ドクタローラ３、インキ溜まり４等からなるインキ供給手段を有し、自身の中心軸線まわりに回転自在に支持された多孔性円筒状版胴１に、サーマルヘッド１０、プラテンローラ９等の製版手設で加熱穿孔製版されたマスタ８を巻着し、前記版胴１に印刷用紙４５をプレスローラ１５等の押圧手段で押圧して穿孔部を通じてインキを滲み出させて、版胴１に近接して設けられた排紙爪２６及び、版胴１と押圧手段１５とのニップ部に向けて送風する剥離ファン２７等により版胴１表面より剥離しながら印刷を行う孔版印刷装置であって、前記孔版印刷装置は片面印刷モードと、マスタ８を前後二面に分けて製版し、前記印刷用紙４５の搬送経路を切り換える揺動自在な切り換え手段である切り換えガイド板２３により、第一面８Ａで印刷された印刷用紙４５を下部の搬送手段に保持し、その後に第二面８Ｂの位置に合わせて印刷用紙４５を送り出し、押圧手段で印刷用紙４５を反転させながら両面に印刷する両面印刷モードを有しており、前記切り換え部材２３の揺動角度を制御可能に構成した。
【００４７】
これにより、薄手の用紙の場合は切り換えガイドの回動角度を小さくして、版胴との隙間を大きくして、上方に設けられた剥離ファンの送風を有効に利用して、プレスローラとのニップから搬送されてくる用紙の先端部を下方に付勢力を大きくすることができ、切り換えガイドなどへの引っかかりによるジャムを防止できる。また、厚手の用紙の場合は用紙自体の腰が強いので、薄手の用紙よりは切り換えガイド板の開閉角度を大きくするように制御することで先端部が引っかからない。
また、薄手の印刷用紙の場合は、画像が用紙先端部に近い位置に有るとインキの粘性により版胴に張り付いた状態で上方に搬送されて、切り換えガイド板に接触してしまうことがあるので、前記切り換え部材２３は印刷用紙４５の進入位置に連動して揺動角度を制御するように構成し、用紙がニップ部から抜け出た初期は間隔を広くして送風量が多くなるようにして剥離を促進し、用紙の進行に沿って上方に徐々に開いて印刷用紙の先端部を通過させ、その後にまた狭くして用紙の剥離を行うようにしたので、画像などが前方に有っても送付量を多くでき剥離を有効に行うことができる。
【図面の簡単な説明】
【００４８】
【図１】本発明の孔版印刷装置の概賂構成図である。
【図２】スキャナ読み込みから製版に至る制御系の概略ブロック図である。
【図３】切り換えガイド板の駆動系を説明した図である。
【図４】原稿及びマスタの第一面、第二面を例示した図である。
【図５】本発明の孔版印刷装置の要部を示した概賂構成図である。
【図６】本発明の孔版印刷装置の要部を示した概賂構成図である。
【図７】本発明の孔版印刷装置の要部を示した概賂構成図である。
【図８】本発明の孔版印刷装置の要部を示した概賂構成図である。
【図９】本発明の孔版印刷装置の要部を示した概賂構成図である。
【図１０】本発明の孔版印刷装置の要部を示した概賂構成図である。
【符号の説明】
【００４９】
１  版胴
８  マスタ
８Ａ  マスタの第一面
８Ｂ  マスタの第二面
１５  プレスローラ（押圧手段）
２３  切り換えガイド板
２４  移動ガイド
２６  剥離爪
２７  剥離ファン
４５  印刷用紙
４５Ｓ  厚手の印刷用紙
５０  スキャナ装置
５１  制御装置
５２  操作パネル
６０  製版装置
８０  原稿
８０Ａ  原稿の第一面
８０Ｂ  原稿の第二面
【図１】
2008142928.tif 000003
【図２】
2008142928.tif 000004
【図３】
2008142928.tif 000005
【図４】
2008142928.tif 000006
【図５】
2008142928.tif 000007
【図６】
2008142928.tif 000008
【図７】
2008142928.tif 000009
【図８】
2008142928.tif 000010
【図９】
2008142928.tif 000011
【図１０】
2008142928.tif 000012